(57)【特許請求の範囲】
【請求項１】
伸縮自在の支柱部と、
前記支柱部の上端部に設けられ、上方に拡径した略円錐形のボール載置部と、
前記ボール載置部の下端部を前記支柱部に固定する固定手段とを有する球技打撃練習器であって、
前記ボール載置部は一部が重なるように巻かれたシート状可撓性材から形成されており、前記シート状可撓性材の重なり部分のうちの上側部分が摺動自在に構成されていることを特徴とする球技打撃練習器。
【請求項２】
前記支柱部の上端部には、上方に拡径するテーパ部と、前記テーパ部から前記支柱部の上端まで湾曲した曲面部とが設けられており、
前記シート状可撓性材の下端部が前記支柱部の前記テーパ部に巻き付けられて、前記ボール載置部が前記支柱部の前記曲面部を取り囲んでいることを特徴とする請求項１に記載の球技打撃練習器。
【請求項３】
前記支柱部の前記テーパ部は、テーパキャップを前記支柱部の上端部に嵌め込んで形成することを特徴とする請求項２に記載の球技打撃練習器。
【請求項４】
前記ボール載置部の上端部から、内側へせり出すように形成される円環状の載置鍔部が設けられていることを特徴とする請求項１から請求項３のいずれか一項に記載の球技打撃練習器。
【請求項５】
伸縮自在の支柱部の上端部に設けられ、上方に拡径する一体成形された略円錐形のボール載置部と、
前記ボール載置部の下端部を前記支柱部に固定する固定手段とを有する球技打撃練習器であって、
前記ボール載置部には、前記ボール載置部の上端部から内側へせり出すように形成される円環状の載置鍔部が設けられていることを特徴とする球技打撃練習器。
【発明の詳細な説明】
【技術分野】
【０００１】
本発明は、球技打撃練習器に係り、特に、ボール載置部を簡便に構成することができ、かつ、ボール載置部の耐久性を増強させた球技打撃練習器に関する。
【背景技術】
【０００２】
一般に、球技打撃練習器としては、ベースプレートに立設された主柱の上方から中空軸が挿入され、前記中空軸は主柱に装着されている高さ調節用つまみによって上下移動が可能であり、前記中空軸の上端には球受けゴムが設けられ、前記球受けゴムにボールが載置されることで打撃練習が可能となる野球用打撃練習器、一般市場においても散見されている。この類のものとして、例えば特許文献１に記載のものがある。
また、台座に立設された支柱の上端に腕木が曲折自在に連結され、前記腕木の上端に基部が曲折自在に連結され、前記基部の上方には網状体のボール載せ部を含むゴムやプラスチック等でできた支承体が回動自在に連結されているものがある。この類のものとして、例えば特許文献２に記載のものが知られている。特許文献２にはテニス等の練習器としての記載がされているが、野球打撃練習にも使用可能である旨が記載されている。
また、ベースに立設された底棒の嵌め溝にゴム製の中棒が挿入され、前記中棒の上方がゴム製の撓み性材に嵌挿され、前記撓み性材の上方にプラスチック製の玉置管が圧入され、前記玉置管にボールを載置して使用されるバッティング練習器が知られている。この類のものとして、例えば特許文献３に記載のものがある。
【先行技術文献】
【特許文献】
【０００３】
【特許文献１】実開平６−８０４６０号公報
【特許文献２】特公平５−４６８２７号公報
【特許文献３】登実第３１０３８４８号公報
【発明の開示】
【発明が解決しようとする課題】
【０００４】
特許文献１に記載の打撃練習器は、球受けゴムはゴム製樹脂からなるので、柔軟性を有するが、当該球受けゴムが継続される打撃によってすぐに破損してしまうという問題が懸念されている。
特許文献２に記載の練習器は、ボール載せ部を網状体にして可撓性を持たせるとしているが、網状体では野球ボールやソフトボール用ボールを載せた場合の支持力が懸念される。当該網状体の支持力を上げるためにより硬質な材料を用いても、当該網状体の可撓性が損なわれることがまた懸念される。
また、特許文献３に記載のバッティング練習器において、ゴム製の撓み性材がボールを載置する玉置管の揺動や衝撃を吸収するが、玉置管がプラスチック材料からなるので当該玉置管自体が破損しやすいという問題が懸念されている。
【０００５】
そこで、本発明は、上記問題点を解決するものであり、その課題は、ボール載置部を簡便に構成することができ、かつ、ボール載置部の耐久性を増強させた球技打撃練習器を提供することにある。
【課題を解決するための手段】
【０００６】
上記課題を解決するために本発明の球技打撃練習器は、伸縮自在の支柱部と、前記支柱部の上端部に設けられ、上方に拡径した略円錐形のボール載置部と、前記ボール載置部の下端部を前記支柱部に固定する固定手段とを有する球技打撃練習器であって、前記ボール載置部は一部が重なるように巻かれたシート状可撓性材から形成されており、前記シート状可撓性材の重なり部分のうちの上側部分が摺動自在に構成されていることを特徴とする。
【０００７】
この発明によれば、シート状可撓性材を支柱部の上縁に巻き付けて上方に拡径した略円錐状を形成するという簡便な作業によって、ボールを載置する空間を形成することができる。また、ボール載置部の上縁部分は自由端となることによってボールに対する支持力は保ちながらも打撃による衝撃を逃しやすくなる。その結果、ボール載置部の寿命を長くするという効果を奏する。また、ボール載置部の損傷が進んできたら、新しいシート状可撓性材の部分のみを取り替えればよいので、簡便で低廉な取替が可能になる。
【０００８】
本発明の一態様においては、前記支柱部の上端部には、上方に拡径するテーパ部と、前記テーパ部から前記支柱部の上端まで湾曲した曲面部とが設けられており、前記シート状可撓性材の下端部が前記支柱部の前記テーパ部に巻き付けられて、前記ボール載置部が前記支柱部の前記曲面部を取り囲んでいる。
【０００９】
この発明によれば、テーパ部は、シート状可撓性材が略円錐形のボール載置部になるように巻き付けられるための案内用の傾斜面となり、シート状可撓性材はより安定的に巻きつけられる。また、前記支柱部の先端に設けられたボール載置部を抜けにくくする効果がある。そして、テーパ部の最大径部から支柱部の上端まで湾曲した曲面部はボール載置部の内側に対して広い接触面積を提供し、ボール載置部の内部にかかる負担を分散させることができる。これにより、ボール載置部の寿命が更に長くなるという効果を奏する。
【００１０】
本発明の別の態様においては、前記支柱部の前記テーパ部は、テーパキャップを前記支柱部の上端部に嵌め込んで形成する。この構成により、安定的にシート状可撓性材を巻きつけて簡便にボール載置部を形成することが可能になり、そして、ボール載置部内部にかかる打撃による負担を分散させることができるほか、テーパ部の構成が簡略化され、製造工程が簡略化され、製造コストが低廉化される効果を奏する。
【００１１】
更に本発明において、前記ボール載置部の上端部から内側へせり出すように形成される円環状の載置鍔部を有していることが好ましい。この発明により、バットがボールとボール載置部の境界周辺を叩いた場合でも、バットはボール載置部の上端部を滑って通過しやすくなり、ボール載置部全体への衝撃をより緩和させる効果を奏する。
【００１２】
本発明の別の球技打撃練習器は、伸縮自在の支柱部の上端部に設けられ、上方に拡径する一体成形された略円錐形のボール載置部と、前記ボール載置部の下端部を前記支柱部に固定する固定手段とを有する球技打撃練習器であって、前記ボール載置部には、前記ボール載置部の上端部から内側へせり出すように形成される円環状の載置鍔部が設けられていることを特徴とする。
【００１３】
この構成によれば、バットがボールとボール載置部の境界周辺を叩いた場合でも、バットはボール載置部の上端部を滑って通過しやすくなり、衝撃がより緩和されるという効果を奏する。
【発明の効果】
【００１４】
以上、説明したように、本発明によれば、非常に簡易な構成によってボール載置部の寿命を長くし、ボール載置部の取替も簡便で低廉に行うことが可能な球技打撃練習器を提供することができる。
【図面の簡単な説明】
【００１５】
【図１】本発明の第一実施形態の全体図。
【図２】ボール載置部を展開図で示した本発明の第一実施形態の縦断面図。
【図３】本発明の第一実施形態の他の構成の説明図（ａ）〜（ｃ）。
【図４】本発明の第一実施形態の要部拡大図。
【図５】本発明の第二実施形態の要部断面図。
【図６】本発明の第三実施形態の要部断面図。
【図７】本発明の第四実施形態の要部拡大図。
【図８】本発明の第五実施形態の要部拡大図。
【図９】本発明の第五実施形態の変形例。
【発明を実施するための形態】
【００１６】
次に、添付図面を参照して本発明の実施形態について詳細に説明する。図１は、本発明に係る球技打撃練習器１の実施形態の全体図、図２は、ボール載置部１１を展開図で示した第一実施形態の縦断面図、図４は同実施形態の要部拡大図である。まず、本発明に係る球技打撃練習器１の第一実施形態について以下に説明する。
【００１７】
球技打撃練習器１は、図１に示されるように、プレート２と、取付板３を介してプレート２に立設された支柱部と、当該支柱部の上縁部において設けられるボール載置部１１とを具備している。当該支柱部は本実施形態において、中空円筒状の第一支柱４と、第一支柱４に第一連結部材６を介して連結され且つ第一支柱４の内部で摺動する第二支柱７と、第二支柱７に第二連結部材９を介して連結され且つ第二支柱７の内部で摺動する第三支柱１０とを具備したものである。
【００１８】
プレート２は、地面と接して球技打撃練習器１の全体を支えるものである。プレート２の材料は特に限定されないが、ゴム、樹脂、ベニヤ合板等とすることができる。プレート２の全体形状は、野球に使用されるホームプレートと同形状の五角形やそれに近似する寸法の四角形とすることができ、寸法は、過大な衝撃が与えられた場合にはその衝撃を逃がすために球技打撃練習器１の全体が倒れることを可能とする程度に設定されるのがよい。
【００１９】
プレート２が四角形の場合は中央に、また、ホームプレート形状の五角形の場合は重量配分の中央又は幾分か後方に、金属や十分な剛性をもつ樹脂からなる取付板３が取り付けられる。図２に示されるように、取付板３の中央には、第一支柱４を受容可能な取付孔３ａが設けられている。取付孔３ａは内部に雌ねじを有し、第一支柱４の下縁部に設けられる雄ねじと螺合する。取付孔３ａの円周縁部に取付板３の厚みよりも増した部分を設けることによって雌ねじの形成範囲を深くすることもできる。また、取付板３は適所にネジ穴を有し、プレート２にネジで固定されるようになっている。
【００２０】
第一支柱４は、金属や十分な剛性をもつ樹脂からなる中空円筒状の部材であって、下縁外周部に設けられた雄ねじが取付板３の取付孔３ａに設けられた雌ねじと螺合することでプレート２に立設される。第一支柱４の上端からは、第一ワッシャ５が嵌合する。第一ワッシャ５は第一支柱４の上端部に引っかかる鍔部５ａと第一支柱４の内面に沿って下方に延びる延長部５ｂとを有し、鍔部５ａから延長部５ｂにわたって縦にスリット（図示せず）が設けられており、割座金の下方に延長部分が設けられたような形状となっている。
【００２１】
第一支柱４の上縁部及び第一ワッシャ５を覆うように、下方開口６ａを有するゴム製の第一連結部材６が嵌め込まれる。下方開口６ａは、第一支柱４の直径よりもわずかに大きい内径を有し、内壁に環状に盛り上がる複数の突起部６ｂを有している。突起部６ｂは第一支柱４の上縁外周部と接触して第一連結部材６を容易に抜けさせないようにしている。第一連結部材６の全体は円筒形であるが上方は拡径して肉厚となっており、下方開口６ａ内の上部に触れる第一ワッシャ５の鍔部５ａを締め付けるようになっている。これにより第一ワッシャ５に設けられている縦のスリット間が狭窄される。また、第一連結部材６は上方開口６ｃも有し、ここに第二支柱７が挿通される。
【００２２】
第二支柱７は、第一支柱４と同じく金属や十分な剛性をもつ樹脂からなる中空円筒状の部材であり、第一連結部材６の上方開口６ｃと第一ワッシャ５の中心とに挿通され、第一支柱４の内部に収納されている。このとき、第一支柱４の内壁と第二支柱７の外壁との間において第一ワッシャ延長部５ｂが介在する状態となっている。第二支柱７には、第一連結部材６の上方開口６ｃとの接触と第一ワッシャ延長部５ｂの内壁との接触による適度な摩擦（鍔部５ａの締め付けによるもの）が与えられる。したがって使用者の手動による第二支柱７の適宜な上下操作が可能となる。更に、第二支柱７の下方に、材料は問わないが、スリーブ７ａを設けると第二支柱７の外壁と第一支柱４内壁との間隙をより少なくすることができ、第二支柱７の揺動が少なくなる。
【００２３】
第二支柱７の上端からは、第二ワッシャ８が嵌合する。第二ワッシャ８は第二支柱７の上端部に引っかかる鍔部８ａと第二支柱７の内面に沿って下方に延びる延長部８ｂとを有し、鍔部８ａから延長部８ｂにわたって縦にスリットが設けられる構成は、第一ワッシャ５のそれと寸法以外は共通である。第二支柱７の上縁部及び第二ワッシャ８を覆うように、下方開口９ａを有するゴム製の第二連結部材９が嵌め込まれる。第二連結部材９の構成も、第一連結部材６のそれと寸法以外は共通である。第二連結部材９も上方開口９ｃも有し、ここに第三支柱１０が挿通される。
【００２４】
第三支柱１０は、第一支柱４や第二支柱７と同じく金属や十分な剛性をもつ樹脂からなる中空円筒状の部材であるが、先端部分１０ｂは曲面となっている。第三支柱１０は、第二連結部材９の上方開口９ｃと第二ワッシャ８の中心とに挿通され、第二支柱７の内部に収納されている。このとき、第二支柱７の内壁と第三支柱１０の外壁との間において第二ワッシャ延長部８ｂが介在する状態となっている。第三支柱１０には、第二連結部材９の上方開口９ｃとの接触と第二ワッシャ延長部８ｂの内壁との接触による適度な摩擦（第二連結部材９の下方開口９ａ内の上部に触れる第二ワッシャ鍔部８ａが締め付けられることによるもの）が与えられる。したがって、使用者の手動による第三支柱１０の適宜な上下操作が可能となる。更に、第三支柱１０の下方にスリーブ１０ａを設けると第三支柱１０の外壁と第二支柱７内壁との間隙をより少なくすることができ、第三支柱１０の揺動が少なくなる。
【００２５】
第三支柱１０における第二ワッシャ８よりも上方に、ゴムカバー１１ｄが準備される。これは後述するが、ボール載置部１１が形成された後に、ボール載置部１１の下方と第三支柱１０との連結部分を覆って両方を固定するためのものである。
【００２６】
ボール載置部１１は、ボール１２が上部に載置されるものであって、図４に示されるように、第三支柱１０の先端部分１０ｂの曲面が形成される手前の部分から設けられる。ボール載置部１１の本体をなすものはゴムや布から成る扇形型のシート状可撓性材１１ｇであるが、バットによる打撃を受けた後、即座に元の形に復帰するためにはゴム製であることがのぞましい。
【００２７】
シート状可撓性材１１ｇは、上方に拡径した略円錐形になるように巻かれ、第三支柱１０上縁部との接触部分に両面テープ１１ｂが貼着されて固定される。その際、ボール載置部１１が、シート状可撓性材１１ｇが幾重にも重なるようにして形成されると、ボール１２の載置面積が小さくなり過ぎてボール１２を安定して保持することが困難になったり、ボール載置部１１自体の可撓性が損なわれることもあり得る。ボール載置部１１は、シート状可撓性材１１ｇが一重から二重までの巻き付けによってなるのが好ましい。
【００２８】
次に、ボール載置部１１の下縁であって第三支柱１０との境界部分にテープ等の固定手段１１ｃを巻き付ける。このようにすれば、シート状可撓性材１１ｇの内部に貼着された両面テープ１１ｂの固定力と相俟ってボール載置部１１が第三支柱１０から不意に滑り落ちたり、継続される打撃によって外れやすくなる事態が軽減される。
【００２９】
次に、第三支柱１０とシート状可撓性材１１ｇとの連結したテープ等の固定手段１１ｃの部分に、あらかじめ第三支柱１０を挿通させて準備されていたゴムカバー１１ｄを被せる。ゴムカバー１１ｄは、シート状可撓性材１１ｇと第三支柱１０とが一体となった部分に対して十分に締め付けて固定力を与える寸法と弾力をもつことがのぞましい。そうすれば、シート状可撓性材１１ｇが第三支柱１０に巻き付いた状態における揺動に対する安定度を増強することができる。
【００３０】
本実施形態では、ボール載置部１１の上縁部分は自由端となっているので、ボール１２に対する支持力は保たれながらも打撃による衝撃が逃げやすい。また、シート状可撓性材１１ｇが巻き付けられるときの最終端１１ａの上縁角部には、丸め処理が施されている。これにより、ボール載置部１１の上縁部分が自由端となっている状態であっても、シート状可撓性材１１ｇの最終端１１ａがボール載置部１１から大きく外側にはみ出す量が少なくなり、打撃時にバットがボール載置部１１に必要以上に接触するのを低減させることになる。
【００３１】
また、第三支柱１０の先端部分１０ｂの曲面は、継続される打撃によってボール載置部１１が前後左右に揺動されてボール載置部１１の内側が先端部分１０ｂに激しく触れる状況であっても、ボール載置部１１の内側への損傷を与えにくい。
【００３２】
上記の結果、ボール載置部１１の寿命を長くすることができる。球技打撃練習器１の長期使用により、ボール載置部１１の損傷が進んできたら、新しいシート状可撓性材１１ｇの部分のみを準備して再びテープ等を使用して固定すればよいので、簡便で低廉な取替が可能になる。
【００３３】
以上の第一実施形態においては、第一支柱４と第二支柱７との連結部分に第一連結部材６、そして、第二支柱７と第三支柱１０との連結部分に第二連結部材９を用いたものを説明した。ここで、第一連結部材６に相当する位置に、図３（ａ）に示される既知のスリーブナット１３や、図３（ｂ）に示される締付ノブ１４等を採用して第一支柱４や第二支柱７の高さを固定し、第二支柱７と第三支柱１０との間にのみゴム製の連結部材を採用して第三支柱１０の高さ手動で容易に変えられるようにする構成であってもよい。また、第一実施形態においては、第一支柱４、第二支柱７、及び、第三支柱１０からなる三段伸縮構成のものを説明したが、子供用の球技打撃練習器１として採用する場合や、より廉価なものを製造する場合として、図３（ｃ）に示されるように、二段伸縮構成とすることも可能である。
【００３４】
次に、本発明に係る第二実施形態について説明をする。第二実施形態の基本的構成は第一実施形態のそれと同じであるが、図５に示されるように、第三支柱１０の先端に上方に拡径するテーパ部１０ｃが設けられ、テーパ部１０ｃの最大径部から支柱部先端方向にかけて曲面部１０ｄが形成されている。テーパ部１０ｃは、シート状可撓性材１１ｇが略円錐形のボール載置部１１になるように巻き付けられるための案内用の傾斜面となり、シート状可撓性材１１ｇはより安定的に巻きつけられる。テーパ部１０ｃの最大径部から支柱部先端方向にかけて形成される曲面部１０ｄは、ボール載置部１１の内側にかかる負担を分散させることができる。曲面部１０ｄは、なだらかであるほど、ボール載置部１１の寿命を長くさせることができる。
【００３５】
本発明に係る第三実施形態について説明をする。第三実施形態の基本的構成は第一実施形態のそれと同じであるが、図６に示されるように、第二実施形態で示されたような第三支柱１０の先端に上方に拡径するテーパ部１０ｃの形成を、テーパキャップ１０ｅの嵌め込みによって達成するものである。テーパキャップ１０ｅの材料は合成樹脂、金属等とすることができる。
【００３６】
第三実施形態による作用効果は第二実施形態において示された内容と同じ効果を期待することができる。構成の点では、第一実施形態における第三支柱先端部分１０ｂと同じ形状の部分に対してテーパキャップ１０ｅを嵌め込む形態であり、第二実施形態におけるテーパ部１０ｃを形成するという構成よりも簡易になることもある。この点で、製造工程が簡略化され、製造コストが低廉化されることもある。
【００３７】
本発明に係る第四実施形態について説明する。第四実施形態の基本的構成も第一実施形態のそれと同じであり、第二実施形態又は第三実施形態の構成を援用することもできるが、図５に示されるように、シート状可撓性材１１ｇの上縁部分に内側に突起する載置鍔部１１ｅが設けられている。
【００３８】
図７において、載置鍔部１１ｅが設けられたシート状可撓性材１１ｇによってボール載置部１１が形成され、載置鍔部１１ｅが上端部から内側へせり出すように形成されている様子が示されている。載置鍔部１１ｅに一定間隔で切欠部１１ｆを設けると載置鍔部１１ｅが円環状となりやすくなる。円環状の載置鍔部１１ｅを具備すれば、バットがボール１２とボール載置部１１の境界周辺を叩いた場合でも、バットはボール載置部１１の上端部を滑って通過しやすくなり、ボール載置部１１全体への衝撃をより緩和させる効果がある。これにより、ボール載置部１１の寿命を更に長くすることができる。
【００３９】
以上のように構成された本実施形態の球技打撃練習器１の作用効果について以下に説明する。球技打撃練習器１の有する上方に拡径した略円錐形のボール載置部１１は、シート状可撓性材１１ｇの支柱部上縁への巻き付けによって形成されるので、作業が簡便である。また、ボール載置部１１の上縁部分は自由端となっているので、ボール１２に対する支持力は保ちながらも打撃による衝撃を逃しやすい。その結果、ボール載置部１１の寿命が長くなる。
【００４０】
また、シート状可撓性材１１ｇの巻付け最終端１１ａの上縁角部に丸め処理がなされているので、シート状可撓性材１１ｇの最終端１１ａがボール載置部１１から大きく外側にはみ出す量が少なくなり、打撃によるバットとボール載置部１１との無駄な接触が減る。これにより、ボール載置部１１の寿命が長くなる。
【００４１】
また、第三支柱１０の先端に、上方に拡径するテーパ部１０ｃと、テーパ部１０ｃの最大径部から先端方向にかけて曲面部１０ｄが形成される構成を採ることもできる。これにより、テーパ部１０ｃは、シート状可撓性材１１ｇが略円錐形に形成されるための案内用の傾斜面となり、ボール載置部１１が形成されるのを簡便にする。また、前記支柱部の先端に設けられたボール載置部１１が抜けにくくなる。そして、テーパ部１０ｃの更に支柱部先端方向において形成される曲面部１０ｄはボール載置部１１の内部に対して広い接触面積を提供するのでボール載置部１１の内側への損傷を与えにくい。これにより、ボール載置部１１の寿命が更に長くなる。
【００４２】
第三支柱１０の先端部分１０ｂに上方に拡径するテーパキャップ１０ｅを嵌め込むことでテーパ部１０ｃを形成したのと同じ効果を奏することができる。これにより、テーパ部の構成をテーパキャップ１０ｅによって簡単に替えることができ、製造コストも低廉化される。
【００４３】
ボール載置部１１の上端部から内側へせり出すように形成される載置鍔部１１ｅは、バットがボール１２とボール載置部１１の境界周辺を叩いた場合でも、バットはボール載置部１１の上端部を滑って通過しやくなり、衝撃がより緩和される。
【００４４】
以上、説明したように、本発明によれば、非常に簡易な構成によってボール載置部１１の寿命を長くし、ボール載置部１１の取替も簡便で低廉に行うことが可能な球技打撃練習器１を提供することができる。
【００４５】
本発明の各部の具体的な構成は、全て本発明の意図する範囲内で種々変更を加え得ることは勿論である。例えば、図８に示されるように、第五実施形態として、あらかじめ上方に拡径する円錐形として一体成形されたゴム製やシリコン製によるボール載置部１１を具備する球技打撃練習器１を構成することもできる。こうすれば、ボール載置部１１を形成する際に、シート状可撓性材１１ｇを第三支柱１０に巻き付ける作業を省くことができ、第三支柱１０への嵌め込みやその後の固定手段１１ｃによる固定の作業に手間が掛からない。
【００４６】
第五実施形態に係るボール載置部１１は、その下方の縮径部分に、第三支柱１０の上縁部が挿入される。第三支柱１０の上縁部に両面テープ１１ｂが貼着されていてもよい。ボール載置部１１と第三支柱１０の境界部分にテープ等の固定手段１１ｃを巻き付け、更に固定手段１１ｃの部分に、あらかじめ第三支柱１０に準備されていたゴムカバー１１ｄを被せる。このような取付構造は第一実施形態において示されたものと、巻き付ける作業以外は共通する。
【００４７】
第五実施形態に係るボール載置部１１は、図５で示されたような第三支柱１０、つまり、テーパ部１０ｃ及びその最大径部から支柱部先端方向にかけて曲面部１０ｄが形成された支柱の先端に設けることも可能である。また、図６で示されたようなテーパキャップ１０ｅが嵌め込まれた支柱の先端に設けることも可能である。そして、図９において示されるように、第五実施形態に係るボール載置部１１は、その上端部から内側へせり出す載置鍔部１１ｅを伴って形成されことも可能である。その際、載置鍔部１１ｅには、一定間隔で切欠部１１ｆを設けてもよい。その他にも、ボール載置部１１の上端部におけるボール１２との接触部分を上下の凹凸による波状に加工し、ボール１２に対する接触をできるだけ減らしながら支持力を維持させることも可能である。
【符号の説明】
【００４８】
１…球技打撃練習器、２…プレート、３…取付板、３ａ…取付孔、４…第一支柱、５…第一ワッシャ、５ａ…（第一ワッシャ）鍔部、５ｂ…（第一ワッシャ）延長部、６…第一連結部材、６ａ…下方開口、６ｃ…上方開口、７…第二支柱、７ａ…スリーブ、８…第二ワッシャ、８ａ…（第二ワッシャ）鍔部、８ｂ…（第二ワッシャ）延長部、９…第二連結部材、９ａ…下方開口、９ｃ…上方開口、１０…第三支柱、１０ａ…スリーブ、１０ｂ…先端部分、１０ｃ…テーパ部、１０ｄ…曲面部、１０ｅ…テーパキャップ、１１…ボール載置部、１１ａ…最終端、１１ｂ…両面テープ、１１ｃ…固定手段、１１ｄ…ゴムカバー、１１ｅ…載置鍔部、１１ｆ…切欠部、シート状可撓性材１１ｇ、１２…ボール、１３…スリーブナット、１４…締付ノブ
【図１】
0005602796.tif 000002
【図２】
0005602796.tif 000003
【図３】
0005602796.tif 000004
【図４】
0005602796.tif 000005
【図５】
0005602796.tif 000006
【図６】
0005602796.tif 000007
【図７】
0005602796.tif 000008
【図８】
0005602796.tif 000009
【図９】
0005602796.tif 000010